(57)【要約】      （修正有）【課題】通気部を浴室側から開閉可能とし、使い勝手を向上させた建具を提供する。【解決手段】浴室と脱衣室との間に設置される建具１０であって、浴室と脱衣室とを連通させる開口部２２を有する枠体２０と、枠体２０に軸支される軸支部３３と、軸支部３３から横方向に離れた位置に設けられた戸先部と、を有し、枠体２０に対して軸支部３３を軸に浴室側へ動くことで開口部２２を開閉可能に支持される折り戸又は開き戸である障子３０と、枠体２０と障子３０との間に設けられ、障子３０で仕切られる浴室側と脱衣室側とを連通させる通気部４０と、通気部４０を開閉する開閉部材４２と、開閉部材４２を開閉動作させるための操作部４４と、を備え、開閉部材４２は、枠体２０に設けられ、操作部４４は、枠体２０の浴室側に設けられており、浴室側から操作可能であるように構成された。【選択図】図３
2019143438.tif 000002
【特許請求の範囲】
【請求項１】
浴室と脱衣室との間に設置される建具であって、
前記浴室と前記脱衣室とを連通させる開口部を有する枠体と、
前記枠体に軸支される軸支部と、前記軸支部から横方向に離れた位置に設けられた戸先部と、を有し、前記枠体に対して前記軸支部を軸に前記浴室側へ動くことで前記開口部を開閉可能に支持される折り戸又は開き戸である障子と、
前記枠体と前記障子との間に設けられ、前記障子で仕切られる前記浴室側と前記脱衣室側とを連通させる通気部と、
前記通気部を開閉する開閉部材と、
前記開閉部材を開閉動作させるための操作部と、
を備え、
前記開閉部材は、前記枠体に設けられ、
前記操作部は、前記枠体の前記浴室側に設けられており、前記浴室側から操作可能であるように構成されたことを特徴とする建具。
【請求項２】
前記枠体の前記脱衣室側に設けられ、前記操作部に連動する連動部をさらに備え、
前記開閉部材が前記通気部を開いた開状態となる位置へ前記操作部が移動した際は、前記連動部も前記開閉部材が前記開状態となる位置へ移動し、
前記開閉部材が前記通気部を閉じた閉状態となる位置へ前記操作部が移動した際は、前記連動部も前記開閉部材が前記閉状態となる位置へ移動するように構成されたことを特徴とする請求項１記載の建具。
【請求項３】
前記開閉部材及び前記操作部は、前記枠体の前記浴室側を向く面と直交する方向にスライド移動可能に前記枠体に取り付けられ、
前記操作部を前記浴室側へ引くことで、前記開閉部材が前記浴室側へ動いて前記障子の側端面に当接し、前記通気部を閉じた閉状態となり、
前記操作部を前記枠体側へ押し込むことで、前記開閉部材が前記枠体側へ動いて前記障子の側端面から離れ、前記通気部を開いた開状態となるように構成されたことを特徴とする請求項１又は２に記載の建具。
【請求項４】
前記開閉部材及び前記操作部は、前記枠体の前記浴室側を向く面と直交する方向にスライド移動可能に前記枠体に取り付けられ、
前記操作部を前記枠体側へ押し込むことで、前記開閉部材が前記枠体側へ動いて前記障子の前記浴室側の面に当接し、前記通気部を閉じた閉状態となり、
前記操作部を前記浴室側へ引くことで、前記開閉部材が前記浴室側へ動いて前記障子の前記浴室側の面から離れ、前記通気部を開いた開状態となるように構成されたことを特徴とする請求項１又は２に記載の建具。
【発明の詳細な説明】
【技術分野】
【０００１】
本発明の態様は、一般的に、建具に関する。
【背景技術】
【０００２】
浴室と脱衣室との間の開口部に設置される折り戸や開き戸の建具がある。こうした建具において、浴室内での換気扇などの駆動に応じて脱衣室側から自動的に浴室内に通気するための通気部（換気経路）を設けることが知られている。
【０００３】
一方で、例えば、浴室内に湯水を噴霧することで、ミストサウナを楽しめる浴室も知られている。ミストサウナを実施するためには、上述した通気部を閉じ、ミストが脱衣室側に出ないようにしなければ、脱衣室側にミストが充満してしまい、脱衣室が濡れてしまったり、カビなどの発生の原因となったりしてしまう可能性がある。従って、通気部を開閉する開閉部材及びこの開閉部材を動作させるための操作部が必要である。
【０００４】
通気部を開閉する開閉部材を動作させるための操作部を建具の脱衣室側に設けると、例えば、入浴者が入浴途中にミストサウナを動作させようとした場合に、ミストサウナを実施するために一度脱衣室に移動しなければならず、非常に使い勝手が悪い。
【０００５】
また、浴室と脱衣室との間の開口部に設置される折り戸や開き戸は、浴室使用後の折り戸や開き戸の浴室側の表面に付着した水滴が脱衣室側に垂れてしまうことを抑制するために、浴室内方向へ向かうような動きで開く必要がある。このことから、操作部を建具の浴室側に設けるためには、通気部を開閉する開閉部材及び操作部の構造に工夫を加える必要がある。
【先行技術文献】
【特許文献】
【０００６】
【特許文献１】特開２０１５−２２７５６３号公報
【発明の概要】
【発明が解決しようとする課題】
【０００７】
本発明は、かかる課題の認識に基づいてなされたものであり、通気部を浴室側から開閉可能とし、使い勝手を向上させた建具を提供することを目的とする。
【課題を解決するための手段】
【０００８】
第１の発明は、浴室と脱衣室との間に設置される建具であって、前記浴室と前記脱衣室とを連通させる開口部を有する枠体と、前記枠体に軸支される軸支部と、前記軸支部から横方向に離れた位置に設けられた戸先部と、を有し、前記枠体に対して前記軸支部を軸に前記浴室側へ動くことで前記開口部を開閉可能に支持される折り戸又は開き戸である障子と、前記枠体と前記障子との間に設けられ、前記障子で仕切られる前記浴室側と前記脱衣室側とを連通させる通気部と、前記通気部を開閉する開閉部材と、前記開閉部材を開閉動作させるための操作部と、を備え、前記開閉部材は、前記枠体に設けられ、前記操作部は、前記枠体の前記浴室側に設けられており、前記浴室側から操作可能であるように構成されたことを特徴とする建具である。
【０００９】
この建具によれば、操作部が浴室側から操作可能であることにより、入浴者が入浴途中にミストサウナを実施しようとした場合にも、一度脱衣室側に移動する必要がなくなり、使い勝手を向上させることができる。その上、開閉部材を開閉可能に動作させるための操作部が、枠体の浴室側に設けられていることから、操作部を操作中に脱衣所側から折り戸又は開き戸である障子が開かれた場合にも、開閉部材を操作している指が、障子と枠体との間に挟まってしまうことを抑制することができる。
【００１０】
第２の発明は、第１の発明において、前記枠体の前記脱衣室側に設けられ、前記操作部に連動する連動部をさらに備え、前記開閉部材が前記通気部を開いた開状態となる位置へ前記操作部が移動した際は、前記連動部も前記開閉部材が前記開状態となる位置へ移動し、前記開閉部材が前記通気部を閉じた閉状態となる位置へ前記操作部が移動した際は、前記連動部も前記開閉部材が前記閉状態となる位置へ移動するように構成されたことを特徴とする建具である。
【００１１】
この建具によれば、脱衣室にいる人が、連動部を視認することで、開閉部材の開閉の状態を認識することができる。例えば、入浴者が入浴中である際に、ミストサウナを実施している可能性があることを、連動部の状態を視認することで、脱衣室にいる人に認識させることができる。これにより、ミストサウナの実施中に誤って障子を開けてしまい、ミストを脱衣室側に漏らしてしまうなどの事態の発生を抑制することができる。さらには、入浴前などに連動部を操作することによって、脱衣室側から開閉部材を操作することもでき、より使い勝手を向上させることができる。
【００１２】
第３の発明は、第１又は第２の発明において、前記開閉部材及び前記操作部は、前記枠体の前記浴室側を向く面と直交する方向にスライド移動可能に前記枠体に取り付けられ、前記操作部を前記浴室側へ引くことで、前記開閉部材が前記浴室側へ動いて前記障子の側端面に当接し、前記通気部を閉じた閉状態となり、前記操作部を前記枠体側へ押し込むことで、前記開閉部材が前記枠体側へ動いて前記障子の側端面から離れ、前記通気部を開いた開状態となるように構成されたことを特徴とする建具である。
【００１３】
この建具によれば、操作部を浴室側へ引くことで開閉部材が浴室側へ動いて障子の側端面に当接し、通気部を閉じた閉状態となるため、開閉部材が障子の側端面に当接した閉状態の際に障子が開かれた場合であっても、浴室側へ動いた障子の開閉を開閉部材によって阻害されにくくなる。したがって、開閉部材が開状態及び閉状態のいずれの状態にある場合にも、開閉部材が障子の開閉の妨げとなることを抑制し、障子を容易に開くことができる。
【００１４】
第４の発明は、第１又は第２の発明において、前記開閉部材及び前記操作部は、前記枠体の前記浴室側を向く面と直交する方向にスライド移動可能に前記枠体に取り付けられ、前記操作部を前記枠体側へ押し込むことで、前記開閉部材が前記浴室側へ動いて前記障子の前記浴室側の面に当接し、前記通気部を閉じた閉状態となり、前記操作部を前記浴室側へ引くことで、前記開閉部材が前記浴室側へ動いて前記障子の前記浴室側の面から離れ、前記通気部を開いた開状態となるように構成されたことを特徴とする建具である。
【００１５】
この建具によれば、操作部を枠体側へ押し込むことで開閉部材が枠体側へ動いて障子の浴室側の面に当接し、通気部を閉じた閉状態となるため、開閉部材が障子の浴室側の面に当接した閉状態の際に障子が開かれた場合であっても、浴室側へ動いた障子の開閉を開閉部材によって阻害されにくくなる。したがって、開閉部材が開状態及び閉状態のいずれの状態にある場合にも、開閉部材が障子の開閉の妨げとなることを抑制し、障子を容易に開くことができる。
【発明の効果】
【００１６】
本発明の態様によれば、通気部を浴室側から開閉可能とし、使い勝手を向上させた建具を提供することができる。
【図面の簡単な説明】
【００１７】
【図１】第１の実施形態に係る建具を模式的に表す正面図である。
【図２】第１の実施形態に係る建具を模式的に表す正面図である。
【図３】図３（ａ）〜図３（ｃ）は、第１の実施形態に係る建具の一部を模式的に表す断面図である。
【図４】図４（ａ）〜図４（ｃ）は、第１の実施形態に係る建具の変形例を模式的に表す断面図である。
【図５】図５（ａ）及び図５（ｂ）は、第１の実施形態に係る建具の変形例を模式的に表す断面図である。
【図６】図６（ａ）〜図６（ｃ）は、第２の実施形態に係る建具の一部を模式的に表す断面図である。
【発明を実施するための形態】
【００１８】
以下、本発明の実施の形態について図面を参照しつつ説明する。なお、各図面中、同様の構成要素には同一の符号を付して詳細な説明は適宜省略する。
【００１９】
（第１の実施形態）
図１及び図２は、第１の実施形態に係る建具を模式的に表す正面図である。  
図１及び図２に表したように、建具１０は、枠体２０と、障子３０と、を備える。建具１０は、浴室と脱衣室との間に設置して使用される浴室用の建具である。
【００２０】
枠体２０は、浴室と脱衣室とを連通させる開口部２２を有する。開口部２２は、例えば、略矩形状である。枠体２０は、例えば、略矩形の枠状である。
【００２１】
障子３０は、第１扉部３１と、第２扉部３２と、を有する。第１扉部３１は、枠体２０に軸支される軸支部３３を有する。軸支部３３は、上下方向を軸に枠体２０に軸支される。第２扉部３２は、軸支部３３から横方向に離れた位置に設けられた戸先部３４を有する。軸支部３３は、換言すれば、障子３０の一方の側端であり、戸先部３４は、換言すれば、障子３０の他方の側端である。障子３０は、枠体２０に対して軸支部３３を軸に浴室側へ動くことで開口部２２を開閉可能に軸支される。
【００２２】
第１扉部３１及び第２扉部３２は、例えば、略矩形の平板状である。第１扉部３１及び第２扉部３２の上下方向の長さは、開口部２２の上下方向の長さと実質的に同じか、僅かに短い程度である。第１扉部３１及び第２扉部３２の横方向の長さは、開口部２２の横方向の長さの半分の長さと実質的に同じか、僅かに短い程度である。これにより、図１に表したように、第１扉部３１と第２扉部３２とを横に並べて配置することで、開口部２２を閉じることができる。
【００２３】
上記のように、軸支部３３は、上下方向を軸に枠体２０に軸支されている。第１扉部３１の軸支部３３と反対側の側端は、第２扉部３２の戸先部３４と反対側の端部と回動可能に接続されている。第２扉部３２の戸先部３４は、上下方向を軸に回動可能、且つ横方向にスライド移動可能に枠体２０に支持されている。これにより、図２に表したように、第１扉部３１を軸支部３３を軸に回動させるとともに、第２扉部３２を回動させながら軸支部３３側にスライド移動させることにより、開口部２２を開くことができる。
【００２４】
このように、障子３０は、開口部２２を閉じる閉じ位置（図１に表した位置）と、開口部２２を開いた開き位置（例えば第２に表した位置）と、に移動する。障子３０で開口部２２を閉じることにより、浴室と脱衣室とを仕切ることができる。そして、障子３０で開口部２２を開くことにより、浴室への入退室が可能になる。
【００２５】
この例において、障子３０は、いわゆる折り戸である。第１扉部３１及び第２扉部３２は、開き位置に移動する際、浴室側（図１及び図２において紙面手前側）に向かって回動する。これにより、障子３０を開いた際に、第１扉部３１及び第２扉部３２の浴室側の面に付着した水滴が、脱衣室側に垂れ落ちてしまうことを抑制することができる。
【００２６】
なお、障子３０は、折り戸に限ることなく、開口部２２の形状に対応した一枚の扉部で開口部２２を開閉する開き戸でもよい。開き戸の場合には、一枚の扉部の一方の側端が軸支部３３となり、他方の側端が戸先部３４となる。また、開き戸の場合も同様に、障子３０は、浴室側に向かって回動する。
【００２７】
図３（ａ）〜図３（ｃ）は、第１の実施形態に係る建具の一部を模式的に表す断面図である。  
図３（ａ）〜図３（ｃ）は、図１のＡ１−Ａ２線断面を模式的に表す。図３（ａ）及び図３（ｂ）は、障子３０が閉じ位置にある状態を模式的に表し、図３（ｃ）は、障子３０が開き位置にある状態を模式的に表す。
【００２８】
図３（ａ）〜図３（ｃ）に表したように、建具１０は、通気部４０と、開閉部材４２と、操作部４４と、をさらに備える。通気部４０は、枠体２０と障子３０との間に設けられ、障子３０で仕切られる浴室側と脱衣室側とを連通させる。これにより、例えば、浴室内で換気扇などを駆動した際に、脱衣室側から浴室側へ向かう空気の流れを通気部４０を介して形成し、浴室内の換気効率を向上させることができる。通気部４０は、換言すれば、換気経路である。通気部４０は、例えば、枠体２０と軸支部３３との間に設けられる。但し、通気部４０の位置は、これに限ることなく、枠体２０と障子３０との間の任意の位置でよい。例えば、通気部４０は、枠体２０と戸先部３４との間に設けてもよい。
【００２９】
枠体２０のうち、軸支部３３と隣接する隣接部２４は、軸支部３３と反対側に向かって凹む凹状である。隣接部２４は、換言すれば、軸支部３３と対向する面を開放させた四角筒状である。この例では、この隣接部２４の内部の空間が、通気部４０となる。
【００３０】
開閉部材４２は、枠体２０に設けられ、通気部４０を開閉する。通気部４０を開いた場合には、前述のように、浴室内の換気効率を向上させることができる。一方、通気部４０を閉じた場合には、例えば、浴室内でミストサウナを実施する際に、ミストが脱衣室側に漏れてしまうことを抑制することができる。
【００３１】
開閉部材４２は、例えば、上下方向に延びる平板状である。通気部４０及び開閉部材４２の上下方向の長さは、例えば、開口部２２（軸支部３３）の上下方向の長さに対して僅かに短い程度である。通気部４０及び開閉部材４２は、例えば、開口部２２の上下方向の略全体に設けられる。但し、通気部４０及び開閉部材４２の上下方向の長さは、開口部２２の上下方向の長さよりも短くてもよい。通気部４０及び開閉部材４２は、枠体２０と障子３０との間の少なくとも一部に設けられていればよい。枠体２０と障子３０との間の一部は、例えば、パッキンなどで気密性を有するように塞がれていてもよい。通気部４０及び開閉部材４２の上下方向の長さは、例えば、浴室において必要な換気量を満たすことができる任意の長さでよい。
【００３２】
操作部４４は、使用者の操作に応じて開閉部材４２を開閉動作させるための部材である。操作部４４は、枠体２０の浴室側に設けられており、浴室側から操作可能であるように構成されている。操作部４４は、例えば、枠体２０において浴室側を向く面に設けられる。
【００３３】
開閉部材４２は、図３（ａ）に表したように通気部４０を開いた開状態と、図３（ｂ）に表したように通気部４０を閉じた閉状態と、に移動する。開閉部材４２及び操作部４４は、枠体２０の浴室側を向く面と直交する方向にスライド移動可能に枠体２０に取り付けられている。開閉部材４２及び操作部４４は、例えば、開口部２２と対向した状態において、前後方向にスライド移動可能に枠体２０に取り付けられる。このように、開閉部材４２は、例えば、スライド移動することにより、閉状態と開状態とに移動する。
【００３４】
なお、「枠体２０の浴室側を向く面と直交する方向にスライド移動する」とは、厳密にこの方向に移動するものに限ることなく、少なくともこの方向に移動する成分を有するものであればよい。開閉部材４２及び操作部４４のスライド移動の方向は、例えば、枠体２０の浴室側を向く面と直交する方向に対して傾斜していてもよい。
【００３５】
開閉部材４２は、軸４６を介して操作部４４と接続されている。軸４６の浴室側の一端は、操作部４４と接続されている。また、軸４６は、枠体２０の浴室側を向く面と直交する方向にスライド移動可能に枠体２０に取り付けられている。これにより、操作部４４を操作することにより、軸４６を介して開閉部材４２がスライド移動する。
【００３６】
開閉部材４２は、例えば、軸４６との接続点から浴室側に向かって延びる。枠体２０は、浴室側の内壁から脱衣室側に向かって延び、開閉部材４２の枠体２０側を向く側面と当接する突出部２６を有する。また、軸支部３３は、障子３０が閉じ位置にある状態において、枠体２０側に向かって延びる突出部３３ａを有する。突出部３３ａは、例えば、上下方向に延びる平板状である。突出部３３ａの上下方向の長さは、例えば、開閉部材４２の上下方向の長さと実質的に同じである。
【００３７】
図３（ａ）に表したように、操作部４４が枠体２０側へ押し込まれた状態では、開閉部材４２が突出部３３ａから離れる。これにより、開閉部材４２が開状態となる。図３（ｂ）に表したように、操作部４４を浴室側へ引くと、軸４６を介して開閉部材４２も浴室側に移動する。この際、開閉部材４２は、突出部２６との当接によって弾性変形し、軸支部３３（障子３０）側に向かって傾斜する。換言すれば、開閉部材４２は、突出部２６との当接によって弾性変形し、障子３０の側端面に向かって傾斜する。これにより、開閉部材４２が突出部３３ａの側端面（障子３０の側端面）に当接し、開閉部材４２が閉状態となる。
【００３８】
このように、建具１０では、操作部４４を浴室側へ引くことで、開閉部材４２が浴室側へ動いて障子３０の側端面に当接し、通気部４０を閉じた閉状態となる。そして、建具１０では、操作部４４を枠体２０側へ押し込むことで、開閉部材４２が枠体２０側へ動いて障子３０の側端面から離れ、通気部４０を開いた開状態となるように構成されている。
【００３９】
なお、閉状態において開閉部材４２の当接する障子３０の側端面は、突出部３３ａの側端面に限ることなく、障子３０において、通気部４０側を向く任意の側端面でよい。開閉部材４２の傾斜は、弾性変形によるものに限らない。例えば、開閉部材４２を軸４６に回動可能に軸支させ、突出部２６との当接によって回動させることにより、障子３０の側端面と当接するように開閉部材４２を傾斜させてもよい。
【００４０】
突出部３３ａの通気部４０側の側端は、例えば、通気部４０内に位置する。これにより、開閉部材４２が開状態にある状態において、シャワーから吐水された水など、浴室側からの水が通気部４０の部分にかかったとしても、通気部４０を通じて脱衣室側へ入り込んでしまうことを抑制することができる。
【００４１】
枠体２０は、突出部２８をさらに有する。突出部２８は、枠体２０から障子３０側に向かって延びる。突出部２８は、例えば、突出部２６から障子３０に向かって延びる。突出部２８は、例えば、障子３０の突出部３３ａよりも浴室側に配置される。換言すれば、突出部２８は、開閉部材４２と当接する障子３０の側端面よりも浴室側に配置される。
【００４２】
このように突出部２８を設けることにより、通気部４０を介する脱衣室側への水の浸入をより抑制することができる。また、突出部２８の障子３０側の端部は、障子３０が閉じ位置にある状態において、突出部３３ａの通気部４０側の端部よりも障子３０側に位置する。これにより、通気部４０を介する脱衣室側への水の浸入をより確実に抑制することができる。
【００４３】
枠体２０及び障子３０の少なくとも一方には、通気部４０を介する脱衣室側への水の浸入を抑制するための突出部などが設けられていることが好ましい。枠体２０及び障子３０は、水の浸入を抑制するための突出部などをさらに多く有していてもよい。突出部などの位置は、障子３０の開閉動作及び開閉部材４２の開閉動作を阻害しない任意の位置でよい。但し、枠体２０や障子３０の形状などによって水の浸入を適切に抑制できる場合には、突出部などを設けなくてもよい。
【００４４】
以上、説明したように、本実施形態に係る建具１０によれば、操作部４４が浴室側から操作可能であることにより、入浴者が入浴途中にミストサウナを実施しようとした場合にも、一度脱衣室側に移動する必要がなくなり、使い勝手を向上させることができる。その上、開閉部材４２を開閉可能に動作させるための操作部４４が、枠体２０の浴室側に設けられていることから、操作部４４を操作中に脱衣所側から折り戸又は開き戸である障子３０が開かれた場合にも、開閉部材４２を操作している指が、障子３０と枠体２０との間に挟まってしまうことを抑制することができる。
【００４５】
また、建具１０では、操作部４４を浴室側へ引くことで、開閉部材４２が障子３０の側端面に当接し、通気部４０を閉じた閉状態となり、操作部４４を枠体２０側へ押し込むことで、開閉部材４２が障子３０の側端面から離れ、通気部４０を開いた開状態となる。これにより、操作部４４を浴室側へ引くことで開閉部材４２が浴室側へ動いて障子３０の側端面に当接し、通気部４０を閉じた閉状態となるため、開閉部材４２が障子３０の側端面に当接した閉状態の際に障子３０が開かれた場合であっても、浴室側へ動いた障子３０の開閉を開閉部材４２によって阻害されにくくなる。したがって、開閉部材４２が開状態及び閉状態のいずれの状態にある場合にも、開閉部材４２が障子３０の開閉の妨げとなることを抑制し、障子３０を容易に開くことができる。
【００４６】
図４（ａ）〜図４（ｃ）は、第１の実施形態に係る建具の変形例を模式的に表す断面図である。  
なお、上記実施形態と機能・構成上実質的に同じものについては、同符号を付し、詳細な説明は省略する。また、図４（ａ）〜図４（ｃ）は、図３（ａ）〜図３（ｃ）と同様に、図１のＡ１−Ａ２線断面に相当する。  
図４（ａ）〜図４（ｃ）に表したように、建具１０ａは、連動部５０をさらに備える。連動部５０は、枠体２０の脱衣室側に設けられ、操作部４４に連動する。
【００４７】
連動部５０は、例えば、枠体２０の脱衣室側を向く面に設けられる。連動部５０は、軸４６の脱衣室側の一端に接続されている。すなわち、この例では、軸４６の一端に操作部４４が接続され、軸４６の他端に連動部５０が接続されている。これにより、操作部４４のスライド移動に連動して、連動部５０もスライド移動する。
【００４８】
図４（ａ）に表したように、開閉部材４２が通気部４０を開いた開状態となる位置へ操作部４４が移動した際は、連動部５０も開閉部材４２が開状態となる位置へ移動する。そして、図４（ｂ）に表したように、開閉部材４２が通気部４０を閉じた閉状態となる位置へ操作部４４が移動した際は、連動部５０も開閉部材４２が閉状態となる位置へ移動するように構成されている。
【００４９】
このように、連動部５０を設けることにより、脱衣室にいる人が、連動部５０を視認することで、開閉部材４２の開閉の状態を認識することができる。例えば、入浴者が入浴中である際に、ミストサウナを実施している可能性があることを、連動部５０の状態を視認することで、脱衣室にいる人に認識させることができる。これにより、ミストサウナの実施中に誤って障子３０を開けてしまい、ミストを脱衣室側に漏らしてしまうなどの事態の発生を抑制することができる。さらには、入浴前などに連動部５０を操作することによって、脱衣室側から開閉部材４２を操作することもでき、より使い勝手を向上させることができる。操作部４４は、換言すれば、浴室側に設けられた第１操作部であり、連動部５０は、換言すれば、脱衣室側に設けられた第２操作部である。
【００５０】
図５（ａ）及び図５（ｂ）は、第１の実施形態に係る建具の変形例を模式的に表す断面図である。  
なお、図５（ａ）及び図５（ｂ）は、図３（ａ）〜図３（ｃ）と同様に、図１のＡ１−Ａ２線断面に相当する。  
図５（ａ）及び図５（ｂ）に表したように、建具１０ｂでは、開閉部材４２が、枠体２０と障子３０との間でスライド移動可能に枠体２０に取り付けられている。開閉部材４２は、例えば、側方にスライド移動する。また、建具１０ｂでは、開閉部材４２の浴室側の端部に操作部４４が取り付けられ、開閉部材４２の脱衣室側の端部に連動部５０が取り付けられている。従って、建具１０ｂでは、操作部４４及び連動部５０も側方にスライド移動する。また、建具１０ｂでは、開閉部材４２に突出部２８が設けられている。
【００５１】
建具１０ｂでは、開閉部材４２及び操作部４４を枠体２０側へ移動させることで、開閉部材４２が障子３０（突出部３３ａ）の側端面から離れ、通気部４０を開いた開状態となる。そして、開閉部材４２及び操作部４４を障子３０側へ移動させることで、開閉部材４２が障子３０（突出部３３ａ）の側端面に当接し、通気部４０を閉じた閉状態となる。
【００５２】
このように、開閉部材４２は、枠体２０と障子３０との間でスライド移動させるようにしてもよい。この場合にも、上記実施形態と同様に、開閉部材４２が開状態及び閉状態のいずれの状態にある場合にも、開閉部材４２が障子３０の開閉の妨げとなることを抑制し、障子３０を容易に開くことができる。
【００５３】
（第２の実施形態）
図６（ａ）〜図６（ｃ）は、第２の実施形態に係る建具の一部を模式的に表す断面図である。  
図６（ａ）〜図６（ｃ）は、図３（ａ）〜図３（ｃ）と同様に、図１のＡ１−Ａ２線断面に相当する。  
図６（ａ）〜図６（ｃ）に表したように、本実施形態に係る建具１００では、開閉部材１４２が、軸４６との接続点から脱衣室側に向かって延びる。この例おいても、開閉部材１４２は、上記第１の実施形態の開閉部材４２と同様に、上下方向に延びる平板状である。
【００５４】
軸支部３３は、障子３０が閉じ位置にある状態において、枠体２０側に向かって延びる突出部３３ｂを有する。突出部３３ｂは、例えば、上下方向に延びる平板状である。突出部３３ｂの上下方向の長さは、例えば、開閉部材１４２の上下方向の長さと実質的に同じである。
【００５５】
図６（ａ）に表したように、操作部４４が浴室側へ引かれた状態では、開閉部材１４２が突出部３３ｂから離れる。これにより、開閉部材１４２が開状態となる。図６（ｂ）に表したように、操作部４４を枠体２０側へ押し込むと、軸４６を介して開閉部材１４２も脱衣室側に移動する。この際、開閉部材１４２は、突出部３３ｂの浴室側の面に当接する。これにより、開閉部材１４２が閉状態となる。
【００５６】
このように、建具１００では、操作部４４を枠体２０側へ押し込むことで、開閉部材１４２が枠体２０側へ動いて障子３０の浴室側の面に当接し、通気部４０を閉じた閉状態となる。そして、操作部４４を浴室側へ引くことで、開閉部材１４２が浴室側へ動いて障子３０の浴室側の面から離れ、通気部４０を開いた開状態となるように構成されている。なお、閉状態において開閉部材１４２の当接する障子３０の浴室側の面は、突出部３３ｂの浴室側の面に限ることなく、障子３０において、浴室側を向く任意の面でよい。
【００５７】
本実施形態に係る建具１００においては、操作部４４を枠体２０側へ押し込むことで開閉部材１４２が枠体２０側へ動いて障子３０の浴室側の面に当接し、通気部３０を閉じた閉状態となるため、開閉部材１４２が障子３０の浴室側の面に当接した閉状態の際に障子３０が開かれた場合であっても、浴室側へ動いた障子３０の開閉を開閉部材１４２によって阻害されにくくなる。したがって、上記第１の実施形態の建具１０と同様に、開閉部材１４２が開状態及び閉状態のいずれの状態にある場合にも、開閉部材１４２が障子３０の開閉の妨げとなることを抑制し、障子３０を容易に開くことができる。このように、開閉部材の構成は、枠体２０に設けられ、通気部４０を開閉可能な任意の構成でよい。
【００５８】
例えば、図５に関して説明した建具１０ｂと同様に、開閉部材４２及び操作部４４を枠体２０側へ移動させることで、開閉部材４２が障子３０の浴室側の面から離れ、通気部４０を開いた開状態となり、開閉部材４２及び操作部４４を障子３０側へ移動させることで、開閉部材４２が障子３０の浴室側の面に当接し、通気部４０を閉じた閉状態となるようにしてもよい。
【００５９】
また、建具１００は、連動部５０を有している。建具１００の構成においても、連動部５０は、省略可能である。連動部５０は、必要に応じて設けられ、省略可能である。
【００６０】
建具１００では、障子３０が、開口部２２を閉じた状態において軸支部３３から枠体２０に向かって延出し、少なくとも一部が通気部４０内に位置する延出部６０を、さらに有する。
【００６１】
このように、延出部６０を設けることにより、シャワーから吐水された水など、浴室側からの水が通気部４０の部分にかかったとしても、通気部４０を通じて脱衣室側へ入り込んでしまうことを抑制することができる。
【００６２】
延出部６０は、例えば、第１部分６０ａと、第２部分６０ｂと、を有する。第１部分６０ａは、障子３０が閉じ位置にある状態において、通気部４０に向かって延びる。第２部分６０ｂは、障子３０が閉じ位置にある状態において、第１部分６０ａの通気部４０側の端部から前後方向に延びる。この例において、第２部分６０ｂは、障子３０が閉じ位置にある状態において、浴室側に向かって延びる。第１部分６０ａの通気部４０側の端部は、通気部４０内に位置する。第２部分６０ｂは、通気部４０内に位置する。
【００６３】
このように、第１部分６０ａ及び第２部分６０ｂを設けることにより、通気部４０の部分の水の通り抜けを、より確実に抑制することができる。但し、延出部６０の構成は、上記に限ることなく、通気部４０の部分の水の通り抜けを抑制可能な任意の構成でよい。また、延出部６０は、障子３０に限ることなく、枠体２０に設けてもよい。
【００６４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、建具１０、１００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６５】
１０、１０ａ、１０ｂ 建具、  ２０ 枠体、  ２２ 開口部、  ２４ 隣接部、  ２６、２８ 突出部、  ３０ 障子、  ３１ 第１扉部、  ３２ 第２扉部、  ３３ 軸支部、  ３４ 戸先部、  ４０ 通気部、  ４２ 開閉部材、  ４４ 操作部、  ４６ 軸、  ５０ 連動部、  ６０ 延出部、  １００ 建具、  １４２ 開閉部材
【図１】
2019143438.tif 000003
【図２】
2019143438.tif 000004
【図３】
2019143438.tif 000005
【図４】
2019143438.tif 000006
【図５】
2019143438.tif 000007
【図６】
2019143438.tif 000008